【手続補正書】
【提出日】平成28年3月2日(2016.3.2)
【手続補正１】
【補正対象書類名】明細書
【補正対象項目名】０１５５
【補正方法】変更
【補正の内容】
【０１５５】
表１１から分かるように、二軸延伸ＰＴＦフィルムは、延伸ＰＥＴの報告文献値（Ｙ．Ｓ．Ｈｕ  ｅｔ  ａｌ．／Ｐｏｌｙｍｅｒ４６（２００５）２６８５−２６９８；Ｐｏｌｙｍｅｒ４２（２００１）２４１３−２４２６）と比較して低い、酸素、二酸化炭素、および水蒸気透過値を示し、酸素については６２〜７７ｃｃ−ｍｉｌ／ｍ２−日−ａｔｍ、二酸化炭素については３００〜７００ｃｃ−ｍｉｌ／ｍ２−日−ａｔｍ、および水蒸気については２３〜３８ｇ−ｍｉｌ／ｍ２−日−ａｔｍである。
実施例９：金属基材のＰＴＦでの粉体コーティング
Ｓｐｅｘミルを使用して、４つのパスを通じて、ＰＴＦポリマーペレットを凍結粉砕し、粉体を生成した。Ｍａｌｖｅｒｎ  Ｍａｓｔｅｒｓｉｚｅｒ２０００粒子分析器を使用して、粉砕された材料の粒径分布の分析を水中で（音波処理を使用する場合、使用しない場合の両方で）行い、測定値ｄ（０．５）約５４ミクロン、ｄ（０．９）約１４５ミクロンおよびｄ（０．１）１６ミクロンが得られた。静電吹付け機を使用して、脱脂されたアルミニウムおよび炭素鋼板に、粉砕された粉体を塗布し、次いで通気対流オーブン内で３８０℃にて２０分間硬化させた。これらのパネルを調べると、平均塗り厚３ミクロンを有する、形成されたコーティングが透明であることが分かった。これらの被覆パネルは、ＡＳＴＭ  Ｄ３４５１を用いて、ＴＡＢＥＲ（登録商標）摩耗試験器において優れた摩耗抵抗を示し、１０００サイクルにわたり０．００１７ｇの減量が得られた。
【手続補正２】
【補正対象書類名】明細書
【補正対象項目名】０１５６
【補正方法】変更
【補正の内容】
【０１５６】
以上、本発明を要約すると下記のとおりである。
１．第１表面と、外部環境と接触する第２表面とを含む基材
を含む物品であって、
前記基材が、ポリ（トリメチレンフランジカルボキシレート）（ＰＴＦ）を含むポリマーを含み、
前記ポリマーは、純粋なポリ（エチレンテレフタレート）（ＰＥＴ）からなる基材と比較して、前記基材の気体遮断性が向上したものであり、
酸素に関する向上が、２〜９９％の範囲であり、二酸化炭素に関する向上が、１１〜９９％の範囲であり、水分に関する向上が、３〜９９％の範囲である、物品。
２．ポリマーが、前記基材の酸素遮断性の５０〜９８％の範囲の向上を提供する、上記１に記載の物品。
３．ポリマーが、前記基材の二酸化炭素遮断性の５０〜９８％の範囲の向上を提供する、上記１に記載の物品。
４．ポリマーが、前記基材の水分遮断性の２５〜７５％の範囲の向上を提供する、上記１に記載の物品。
５．前記ポリマーが、加熱速度１０℃／分で示差走査熱量測定によって測定される、１００Ｊ／ｇ未満の結晶化度を有する、上記１に記載の物品。
６．前記ポリマーが、ポリ（トリメチレンフランジカルボキシレート）（ＰＴＦ）およびポリ（アルキレンフランジカルボキシレート）を含むポリマーブレンドであり、かつ
前記ポリマーが、前記ポリマーブレンドの全質量に対してＰＴＦを０．１〜９９．９質量％含む、上記１に記載の物品。
７．前記ポリマーが、ポリ（トリメチレンフランジカルボキシレート）（ＰＴＦ）およびポリ（アルキレンテレフタレート）を含むポリマーブレンドであり、かつ
前記ポリマーが、前記ポリマーブレンドの全質量に対してＰＴＦを０．１〜９９．９質量％含む、上記１に記載の物品。
８．前記ポリマーが、モル比１：１００〜１００で存在する、２，５−フランジカルボン酸、ジオールまたはポリオールモノマーのうちの少なくとも１つ、および多官能性酸またはヒドロキシル酸のうちの少なくとも１つから誘導されるコポリマーであり、
ジオールと二酸のモル比が少なくとも１．２：１である、上記１に記載の物品。
９．前記基材が、第１層と第２層の間に、かつ第１層と第２層に接触して配置されるポリマーを含み、前記第１層が、前記基材の第１表面と接触しており、かつ前記第２層が、前記基材の第２表面と接触しており、
前記ポリマーが、ポリ（トリメチレンフランジカルボキシレート）（ＰＴＦ）を含み、かつ
ポリマーの量が、前記第１層、ポリマー、および前記第２層の全質量に対して０．１〜９９．９質量％の範囲である、上記１に記載の物品。
１０．前記第１層または前記第２層のうちの少なくとも１つが、ポリ（エチレンテレフタレート）を含む、上記８に記載の物品。
１１．前記第１層または前記第２層のうちの少なくとも１つが、ＰＴＦ、ＰＥＴ、ＨＤＰＥ、ＬＤＰＥ、ＰＥ、ＰＰまたはＥｖＯＨのうちの少なくとも１つを含む、上記８に記載の物品。
１２．前記基材が、材料が前記基材の前記第１表面と接触するように、材料を導入する口を備えたハウジングの形態である、上記１に記載の物品。
１３．前記口を閉じると、前記材料が外部環境から隔離されるような、前記口を閉じる手段をさらに含む、上記１２に記載の物品。
１４．容器、容器および蓋、または容器および密閉部のうちの１つまたは複数を含む、上記１２に記載の物品。
１５．飲料容器を含む、上記１２に記載の物品。
１６．前記基材が、フィルムまたはシート状である、上記１に記載の物品。
１７．前記ポリマーが、前記基材の前記第１表面または前記第２表面の少なくとも１つの上にコーティングとして配置される、上記１に記載の物品。
１８．前記ポリマーコーティングが、前記基材に摩耗抵抗を付与する、上記１７に記載の物品。
１９．前記基材の前記第１表面または前記第２表面の少なくとも１つが、金属またはプラスチックを含む、上記１７に記載の物品。
２０．次式：
【化４】
2015514151.tif 000001
（式中、ｎは１８５未満である）
の反復単位を有するポリマーを含む、ポリマー組成物。
２１．ｎは８０〜１８５の範囲である、上記２０に記載のポリマー組成物。
【手続補正３】
【補正対象書類名】特許請求の範囲
【補正対象項目名】全文
【補正方法】変更
【補正の内容】
【特許請求の範囲】
【請求項１】
第１表面と、外部環境と接触する第２表面とを含む基材
を含む物品であって、
前記基材が、ポリ（トリメチレンフランジカルボキシレート）（ＰＴＦ）を含むポリマーを含み、
前記ポリマーは、純粋なポリ（エチレンテレフタレート）（ＰＥＴ）からなる基材と比較して、前記基材の気体遮断性が向上したものであり、
酸素に関する向上が、２〜９９％の範囲であり、二酸化炭素に関する向上が、１１〜９９％の範囲であり、水分に関する向上が、３〜９９％の範囲である、物品。
【請求項２】
前記ポリマーが、加熱速度１０℃／分で示差走査熱量測定によって測定される、１００Ｊ／ｇ未満の結晶化度を有する、請求項１に記載の物品。
【請求項３】
前記ポリマーが、ポリ（トリメチレンフランジカルボキシレート）（ＰＴＦ）およびポリ（アルキレンフランジカルボキシレート）を含むポリマーブレンドであり、かつ
前記ポリマーが、前記ポリマーブレンドの全質量に対してＰＴＦを０．１〜９９．９質量％含む、請求項１に記載の物品。
【請求項４】
前記ポリマーが、ポリ（トリメチレンフランジカルボキシレート）（ＰＴＦ）およびポリ（アルキレンテレフタレート）を含むポリマーブレンドであり、かつ
前記ポリマーが、前記ポリマーブレンドの全質量に対してＰＴＦを０．１〜９９．９質量％含む、請求項１に記載の物品。
【請求項５】
前記基材が、第１層と第２層の間に、かつ第１層と第２層に接触して配置されるポリマーを含み、前記第１層が、前記基材の第１表面と接触しており、かつ前記第２層が、前記基材の第２表面と接触しており、
前記ポリマーが、ポリ（トリメチレンフランジカルボキシレート）（ＰＴＦ）を含み、かつ
ポリマーの量が、前記第１層、ポリマー、および前記第２層の全質量に対して０．１〜９９．９質量％の範囲である、請求項１に記載の物品。
【請求項６】
前記第１層または前記第２層のうちの少なくとも１つが、ＰＴＦ、ＰＥＴ、ＨＤＰＥ、ＬＤＰＥ、ＰＥ、ＰＰまたはＥｖＯＨのうちの少なくとも１つを含む、請求項１に記載の物品。
【請求項７】
前記基材が、材料が前記基材の前記第１表面と接触するように、材料を導入する口を備えたハウジングの形態である、請求項１に記載の物品。
【請求項８】
前記口を閉じると、前記材料が外部環境から隔離されるような、前記口を閉じる手段をさらに含む、請求項７に記載の物品。
【請求項９】
容器、容器および蓋、または容器および密閉部のうちの１つまたは複数を含む、請求項７に記載の物品。
【請求項１０】
飲料容器を含む、請求項７に記載の物品。
【請求項１１】
前記基材が、フィルムまたはシート状である、請求項１に記載の物品。
【請求項１２】
前記ポリマーが、前記基材の前記第１表面または前記第２表面の少なくとも１つの上にコーティングとして配置される、請求項１に記載の物品。
【請求項１３】
前記ポリマーコーティングが、前記基材に摩耗抵抗を付与する、請求項１２に記載の物品。
【請求項１４】
前記基材の前記第１表面または前記第２表面の少なくとも１つが、金属またはプラスチックを含む、請求項１２に記載の物品。
【請求項１５】
次式：
【化１】
2015514151.tif 000002
（式中、ｎは１８５未満である）
の反復単位を有するポリマーを含む、ポリマー組成物。